(57)【要約】本発明は、ベルト装着用具（１００）を備える。用具（１００）は、ピボット（３０）において接続される１対のアーム（１０、２０）を供える。各アーム（１０、２０）は、プーリ駆動軸（Ａ１、Ａ２）と係合するための端部（１３、２２）を備える。手工具（ＨＴ）が、アーム（１０）と係合する。手工具（ＨＴ）の短い弧の動きに伴ってトルクがアーム（１０、２０）にかかることにより、プーリ（Ｐ１、Ｐ２）が互いに離れ、ベルト（６）が張る。固定部材、すなわちリンケージ（４０）は、あらかじめ定められた位置にアーム（１０、８０）を固定するのに利用できる。
2005525511.tif 000002
【特許請求の範囲】
【請求項１】
第２アームに対して軸回転可能に接続される第１アームを備え、
前記第１アームはプーリ係合部を有し、
前記第２アームはプーリ係合部を有し、
前記第１アームがレンチ受け部を有し、これにより、レンチによってトルクが前記第１アームにかかることを特徴とする用具。
【請求項２】
第２アーム位置に対する相対的な第１アーム位置を固定する部材をさらに有することを特徴とする請求項１に記載の用具。
【請求項３】
前記部材が、前記第１アームに対して軸回転可能な接続部を有し、
前記部材が、前記第２アームに対してピン止めによって接続可能であることを特徴とする請求項２に記載の用具。
【請求項４】
前記第１および第２アームの相対的移動を制限する調整部材をさらに有することを特徴とする請求項２に記載の用具。
【請求項５】
前記調整部材が、ネジを有することを特徴とする請求項４に記載の用具。
【請求項６】
前記レンチ受け部が、前記第１アームから延びるタブを有することを特徴とする請求項１に記載の用具。
【請求項７】
前記レンチ受け部が、前記第１アームに穴を有することを特徴とする請求項１に記載の用具。
【請求項８】
前記レンチ受け部が、ナットを有することを特徴とする請求項１に記載の用具。
【請求項９】
前記部材が、前記第１および第２アームにおいてそれぞれ対になって配列された複数の穴を有し、
前記第１および第２アームの位置を固定するために、ピンが一対の穴に挿入されることを特徴とする請求項２に記載の用具。
【発明の詳細な説明】
【技術分野】
【０００１】
本発明は、ベルト装着用具に関し、特に、ベルトを装着あるいは取り外すときに２つのプーリの位置を同時に調整する手段をもつベルト装着用具に関する。
【背景技術】
【０００２】
ベルト駆動装置は、通常、２つまたはそれ以上のプーリに掛け回されたベルトを備える。ベルトは、通常、あらかじめ定められた張力で作用する。設定した張力にするため、ベルトは緩められた状態でプーリの周りに掛けられる。そして、１つ又はそれ以上のプーリの中心を動かすことにより、ベルトには所望する張りが生じる。
【０００３】
従来の装着用具は、駆動ベルトを装着し、ベルトを張ることに利用できる。従来用具の１つは、ねじ回し原理（screw principle）に基づいて作用する。ネジが回されることにより、１つまたはそれ以上のプーリを互いに離す構成部分が動く。
【０００４】
従来技術の代表として、キャンベル（Campbell）の米国特許第３，６７９，１７６号明細書（１９７２）には、スクリューバー調整具を備え、相対するプーリの溝を支持する一対のプーリサドルから構成されるベルト締め付け用具が開示されており、プーリサドル間の距離が広がり、あるいは狭まる。
【０００５】
従来技術の装着用具は、複雑であって、比較的サイズが大きいといった不利な点をもつ。用具の複雑さ、および用具の大型サイズは、工具の使用可能なベルト駆動装置の配置を制限する。さらに、従来の装着用具では、調整されるプーリと特有の工具部分が適切に係合できるように、特別なプーリの配置が要求される。また、従来の工具では、ねじ回し原理により連続的にねじを回す労力が要求される。このことは、制限されたスペースにおいて従来の装着用具を迅速に使える機会を与えない。
【０００６】
コンパクトサイズのベルト装着用具が要求される。トルクをアームに与えることによって２つのプーリの位置を同時に調整する手段を備えたベルト装着用具が要求される。短い弧の動きを通してトルクをアームに与えることによって２つのプーリの位置を同時に調整する手段を備えたベルト装着用具が要求される。用具の位置を固定することによってプーリの位置を固定するリンケージを備えたベルト装着用具が要求される。本発明はこれら要求を満たす。
【発明の開示】
【発明が解決しようとする課題】
【０００７】
本発明の第１の側面は、コンパクトサイズのベルト装着用具を提供することである。
【０００８】
本発明の他の側面は、トルクをアームに与えることによって２つのプーリの位置を同時に調整する手段を備えたベルト装着用具を提供することである。
【０００９】
本発明の他の側面は、短い弧の動きを通してトルクをアームに与えることによって２つのプーリの位置を同時に調整する手段を備えたベルト装着用具を提供することである。
【００１０】
本発明の他の側面は、用具の位置を固定することによってプーリの位置を固定するリンケージを備えたベルト装着用具を提供することである。
【００１１】
本発明の他の側面は、以下に示す発明の記載および添付図面によって指摘され、明らかにされる。
【００１２】
本発明は、ベルト装着用具を備える。用具は、ピボットにおいて接続される１対のアームを供える。各アームは、プーリ駆動軸と係合するための端部を備える。手工具が、アームと係合する。手工具の短い弧の動きに伴ってトルクがアームにかかることにより、プーリが互いに離れ、ベルトが張る。固定部材、すなわちリンケージは、あらかじめ定められた位置にアームを固定するのに利用できる。
【発明を実施するための最良の形態】
【００１３】
図１は、本実施形態であるベルト装着用具の平面図である。ベルト装着用具は、短い動きを通してトルクをかけることによりベルトテンションシステムにおいてプーリの位置を調整する、簡素かつ効率的な手段を提供する。作用中、ベルトを張るため、プーリは通常バネ力を受ける。プーリをベルトの張る方向と逆方向へ動かすため、バネ力は反発され、これによりベルトが装着、あるいは取り外し可能になる。トルクを受ける２つのアームをもつ構成によるベルト装着用具を適用することにより、ベルト装着、取り外しが達成される。
【００１４】
ベルト装着用具１００は、ピボット３０において軸回転可能に接続されたアーム１０、アーム２０とを備える。ピボット３０は、アーム１０、２０を接続させるピン３１を備える。アーム１０は、部材、すなわちロッド４０に形成された複数の穴４２における任意の穴と係合するピン１５を備える。ピン１５は、穴４２と係合すると、アーム２０に対するアーム１０の相対的位置を固定する。
【００１５】
アーム１０は、部材１１を備える。調整部材１２は、部材１１に螺合されている。アーム１０、２０が互いに離れるように動くため、部材１２の表面１４は、アーム２０に当接し、これによりアーム２０に対するアーム１０の相対的移動が制限される。調整部材１２の移動が、アームの最大移動範囲を定める。部材１２は、最大移動量、すなわち穴１２０と穴３３０との最大隔離距離を定め、位置調整されるプーリに対する最大移動量を定める。これは、装着時におけるベルトの張りを制限する。
【００１６】
アーム１０はまた、つば１３を備える。つば１３は、プーリの駆動軸と係合するための穴１３０（図３に図示せず）を形成する。アーム２０は、つば２２を備える。つば２２は、プーリの駆動軸と係合するための穴２２０（図３に図示せず）を形成する。
【００１７】
部材すなわちロッド４０は、複数の穴４２とピボット４１とを備える。ロッド４０は、ピボット４１においてアーム２０に対し軸回転可能に接続されている。穴３１は、ラチェットレンチなどの手工具を係合させるため使用される（図５に図示せず）。
【００１８】
上述された本実施形態のベルト装着用具のコンポーネントは、任意の適当な剛性金属あるいは非金属材料により成形可能である。さらに以下に記載されるように、ベルト装着用具は、短い弧状の運動を伴う手工具を使って動作される。
【００１９】
図２は、プーリと係合したベルト横着用具の側面図である。つば２２とつば１３は、図に示すように、プーリ駆動軸Ａ１とプーリ駆動軸Ａ２とそれぞれ係合する。ここでは、プーリ駆動軸Ａ１、Ａ２は、ボルトを備える。
【００２０】
図３は、本実施形態であるベルト装着用具の使用時における平面図である。つば１３、２２は、それぞれプーリ駆動軸Ａ１、Ａ２と係合する。ベルトＢは、プーリＰ１、Ｐ２に渡って掛けられている。ベルトを適切に張るため、プーリＰ１、Ｐ２は、通常バネ（図示せず）によってともに押されている。ベルトＢを取り外す（あるいは装着する）ため、プーリＰ１、Ｐ２は、ベルト装着用具１００の作用によってポジション１’からポジション２’へ動かされる。図５には、使用されているベルト装着用具１００が示されている。ポジション１’からポジション２’へのプーリの移動は、バネ力に逆らっており、これによってベルトＢが緩み、ベルトＢの取り外し（あるいは装着）が可能になる。このベルト装着用具のコンパクトサイズおよび簡易な使い勝手は、認められるべきことである。ベルト装着用具は、プーリが配置されているスペースから非常に僅かにはみ出ているだけであり、ユーザにとって使用することがとても便利である。ロッド４０は説明を容易にするため示されていない。
【００２１】
図４は、代わりの実施形態におけるベルト装着用具の平面図である。この実施形態のベルト装着用具は、ピボット３０においてアーム２０に固定された６角ヘッドナット６０を備える。手工具ＨＴをナット６０と係合させてＭ方向に沿って回転させると、アーム１０、２０が互いに離れていく。ほとんどのベルト装着では、手工具の動きＭが辿る弧の範囲は、およそ９０°以下であり、最大のケースにおいても１８０°より小さい。この実施形態では、手工具ＨＴは端部が開口したレンチを備える。
【００２２】
図５は、本実施形態であるベルト装着用具の平面図である。本実施形態のベルト装着用具では、アーム２０に用具穴２１が設けられている。手工具ＨＴは、穴２１を介してアーム２０と係合する。手工具ＨＴを方向Ｍに沿って回転させると、アーム１０と２０とが互いに引き離される。本実施形態では、手工具ＨＴは、ラチェットレンチを備える。アーム１０、２０が互いに引き離されることによって、プーリＰ１、Ｐ２がバネ力に逆らって互いに離れるように動き、その結果ベルトＢが緩む。図３を参照。ほとんどのベルト装着では、手工具の動きＭが辿る弧の範囲は、およそ９０°以下であり、最大のケースにおいても１８０°より小さい。
【００２３】
図６は、代わりの実施形態におけるベルト装着用具の平面図である。この実施形態のベルト装着用具は、アーム２０にタブ２８を備える。手工具ＨＴは、アーム２０にトルクを与えるためにタブ２８と係合する。この実施形態では、手工具ＨＴは、端部が開口したレンチを備える。アーム１０に形成された複数の穴８２は、固定部材として作用する。複数の穴は、ピボット３０周りに円形パターン状に形成されている。ピン８３は所定の穴８２に挿入され、アーム２０において対応する位置にある穴８４と係合する。ピン止めされ、アーム１０、アーム２０との間で対になるように配列された複数の穴８２、８４は、アーム１０に対してアーム２０の相対的位置を固定する。ほとんどのベルト装着では、手工具の動きＭが辿る弧の範囲は、およそ９０°以下であり、最大のケースにおいても１８０°より小さい。
【００２４】
図７は、代わりの実施形態におけるベルト装着用具の平面図である。この実施形態のベルト装着用具は、アーム２０にタブ２８を備える。手工具ＨＴはタブ２８と係合し、方向Ｍに沿った動きによってアーム２０にトルクを与える。この実施形態では、手工具ＨＴは、端部が開口したレンチを備える。ほとんどのベルト装着では、手工具の動きＭが辿る弧の範囲は、およそ９０°以下であり、最大のケースにおいても１８０°より小さい。
【００２５】
発明の態様はここに記載されているが、ここに記載された発明の意図および範囲から離れることなく構成および関連するパーツにおいてバリエーションが作り出されることは、当業者にとって自明である。
【図面の簡単な説明】
【００２６】
【図１】本実施形態であるベルト装着用具の平面図である。
【図２】プーリと係合したベルト装着用具の側面図である。
【図３】本実施形態であるベルト装着用具の使用時における平面図である。
【図４】代わりの実施形態におけるベルト装着用具の平面図である。
【図５】本実施形態であるベルト装着用具の平面図である。
【図６】代わりの実施形態におけるベルト装着用具の平面図である。
【図７】代わりの実施形態におけるベルト装着用具の平面図である。
【図１】
2005525511.tif 000003
【図２】
2005525511.tif 000004
【図３】
2005525511.tif 000005
【図４】
2005525511.tif 000006
【図５】
2005525511.tif 000007
【図６】
2005525511.tif 000008
【図７】
2005525511.tif 000009
【国際調査報告】
2005525511.tif 000010
2005525511.tif 000011
2005525511.tif 000012